(57)【要約】【課題】印刷し忘れることを防止すると共に、印刷物の確認作業を効率よく行うことができる印刷装置を提供する。【解決手段】複合機１１は、導出部３４と、文書ＩＤ生成部３５と、印刷制御部３６とを備える。導出部３４は、日時カウント部３１によりカウントされた日時が登録受け付け部３２により受け付けられた印刷日時に達したと判断部３３により判断されれば、登録受け付け部３２により受け付けられた画像データを印刷する際の印刷枚数を導出する。文書ＩＤ生成部３５は、導出部３４により導出された印刷枚数に印刷日時、および各ページに該当する印刷番号を印刷物から把握できるよう付加した文書ＩＤを生成する。印刷制御部３６は、文書ＩＤ生成部３５により生成された文書ＩＤを登録受け付け部３２により受け付けられた画像データに付加して、画像形成部１５により用紙に印刷するよう制御する。【選択図】図３
2018140550.tif 000002
【特許請求の範囲】
【請求項１】
用紙に画像を形成して印刷する印刷装置であって、
画像データを基に用紙に画像を形成して印刷する印刷部と、
データを記憶する記憶部と、
日時をカウントする日時カウント部と、
印刷を実行する印刷日時と共に、印刷する画像データの前記記憶部への登録を受け付ける登録受け付け部と、
前記日時カウント部によりカウントされた前記日時が、前記登録受け付け部により受け付けられた前記印刷日時に達したか否かを判断する判断部と、
前記日時カウント部によりカウントされた前記日時が前記登録受け付け部により受け付けられた前記印刷日時に達したと前記判断部により判断されれば、前記登録受け付け部により受け付けられた前記画像データを印刷する際の印刷枚数を導出する導出部と、
前記導出部により導出された前記印刷枚数に前記印刷日時、および各ページに該当する印刷番号を印刷物から把握できるよう付加した文書ＩＤを生成する文書ＩＤ生成部と、
前記文書ＩＤ生成部により生成された前記文書ＩＤを前記登録受け付け部により受け付けられた前記画像データに付加して、前記印刷部により用紙に印刷するよう制御する印刷制御部と、
前記印刷制御部の作動後、前記文書ＩＤ生成部により生成された前記文書ＩＤを前記画像データと共に記憶するよう制御する記憶制御部とを備える、印刷装置。
【請求項２】
前記印刷制御部は、前記登録受け付け部により受け付けられた画像データで前記印刷日が同じものが複数あれば、一つの印刷ジョブとしてまとめて前記印刷部により印刷するよう制御する、請求項１に記載の印刷装置。
【請求項３】
前記登録受け付け部は、前記画像データのファイルの前記記憶部への登録、および原稿の画像データの読み取りによる前記記憶部への登録のうちの少なくともいずれか一方で前記画像データの登録を受け付ける、請求項１または２に記載の印刷装置。
【請求項４】
前記印刷制御部は、前記画像データにおける画像が形成される領域外に、前記文書ＩＤを付加して印刷するよう制御する、請求項１〜３のいずれか１項に記載の印刷装置。
【請求項５】
前記印刷制御部が実行されれば、その旨を報知する報知部をさらに備える、請求項１〜４のいずれか１項に記載の印刷装置。
【請求項６】
前記報知部は、前記登録受け付け部により登録を行ったユーザーの所有するコンピューターへの電子メールの送信により報知する、請求項５に記載の印刷装置。
【発明の詳細な説明】
【技術分野】
【０００１】
この発明は、印刷装置に関するものである。
【背景技術】
【０００２】
複合機に代表される印刷装置においては、画像読み取り部で原稿の画像を読み取った後、印刷部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、帳票原稿の画像を読み取って連番としての帳票発行番号を付与して記録紙に出力する技術が、特開２００４−３２８３８０号公報（特許文献１）に開示されている。
【０００４】
特許文献１に開示の複写装置は、スキャナーにセットされた帳票原稿を画像読み取り手段で読み取り、読み取った原稿画像を、その帳票種別に対応させたテンプレート画像として記憶し、上記帳票種別毎に上記テンプレート画像を記録紙に形成し、帳票として発行する機能を備える。特許文献１に開示の複写装置は、上記帳票の出力順に、上記テンプレート画像を形成すべき記録紙の所定位置に、帳票発行番号としての連番を付与する連番付与制御手段と、この連番付与制御手段によって付与した連番を、その帳票種別毎に記憶する連番付与履歴記憶手段とを備えた連番付帳票発行機能を備えている。
【先行技術文献】
【特許文献】
【０００５】
【特許文献１】特開２００４−３２８３８０号公報
【発明の概要】
【発明が解決しようとする課題】
【０００６】
学校や塾で生徒に配布される印刷物について、生徒が印刷物の一部を帰宅途中で紛失したり、印刷物の一部を家に持って帰るのを忘れる場合がある。また、先生が印刷物を配布する日に印刷をし忘れて印刷物を配布し損なう場合や、印刷物の枚数を誤って印刷してしまう等、配布ミスを起こしてしまう場合もある。このような場合、生徒や生徒の保護者と先生とが電話等で連絡を取り合って、印刷物の所在を確かめ合うが、印刷物の確認作業において印刷物を特定しづらい状況が生じてしまう。また、印刷ミスや配布ミスに気付かない場合もある。特許文献１に開示の技術では、帳票発行番号としての連番を付与して出力するのみであるため、このような状況に対応することができない。
【０００７】
この発明の目的は、印刷し忘れることを防止すると共に、印刷物の確認作業を効率よく行うことができる印刷装置を提供することである。
【課題を解決するための手段】
【０００８】
この発明に係る印刷装置は、用紙に画像を形成して印刷する。印刷装置は、印刷部と、記憶部と、日時カウント部と、登録受け付け部と、判断部と、導出部と、文書ＩＤ生成部と、印刷制御部と、記憶制御部とを備える。印刷部は、画像データを基に用紙に画像を形成して印刷する。記憶部は、データを記憶する。日時カウント部は、日時をカウントする。登録受け付け部は、印刷を実行する印刷日時と共に、印刷する画像データの記憶部への登録を受け付ける。判断部は、日時カウント部によりカウントされた日時が、登録受け付け部により受け付けられた印刷日時に達したか否かを判断する。導出部は、日時カウント部によりカウントされた日時が登録受け付け部により受け付けられた印刷日時に達したと判断部により判断されれば、登録受け付け部により受け付けられた画像データを印刷する際の印刷枚数を導出する。文書ＩＤ生成部は、導出部により導出された印刷枚数に印刷日時、および各ページに該当する印刷番号を印刷物から把握できるよう付加した文書ＩＤを生成する。印刷制御部は、文書ＩＤ生成部により生成された文書ＩＤを登録受け付け部により受け付けられた画像データに付加して、印刷部により用紙に印刷するよう制御する。記憶制御部は、印刷制御部の作動後、文書ＩＤ生成部により生成された文書ＩＤを画像データと共に記憶するよう制御する。
【発明の効果】
【０００９】
このような印刷装置によると、印刷物の一枚一枚に文書ＩＤが付加されているため、この文書ＩＤから、どのような印刷物が出力されているかを把握することができる。そうすると、例えば、印刷枚数が足りなかった場合に、どのような文書ＩＤの印刷物が足りないかを容易に推測することができる。また、登録された日時になれば印刷制御部が作動するため、印刷すべき日時に印刷し忘れるといった状況を回避することができる。したがって、このような印刷装置は、印刷し忘れることを防止すると共に、印刷物の確認作業を効率よく行うことができる。
【図面の簡単な説明】
【００１０】
【図１】この発明の一実施形態に係る印刷装置を複合機に適用した場合の複合機の外観を示す概略図である。
【図２】図１に示す複合機の構成を示すブロック図である。
【図３】制御部の構成を示すブロック図である。
【図４】複合機を用いて所定の日時に印刷するよう登録された印刷物を出力する場合の処理の流れを示すフローチャートである。
【図５】ハードディスクに記憶されたデータを示す概念図である。
【図６】登録を受け付けた後のハードディスクに記憶されたデータを示す概念図である。
【図７】印刷された印刷物を示す図である。
【図８】文書ＩＤがデータとして記憶されたハードディスクのデータを示す概念図である。
【発明を実施するための形態】
【００１１】
以下、この発明の実施の形態を説明する。図１は、この発明の一実施形態に係る印刷装置を複合機１１に適用した場合の複合機の外観を示す概略図である。図２は、図１に示す複合機１１の構成を示すブロック図である。
【００１２】
図１および図２を参照して、複合機１１は、画像処理に関し、複写機能、プリンター機能、ファクシミリ機能等、複数の機能を有する。複合機１１は、制御部１２と、操作部１３と、画像読み取り部１４と、印刷部としての画像形成部１５と、給紙カセット１６と、記憶部としてのハードディスク１７と、図示しないネットワークと接続するためのネットワークインターフェース部１８と、排出トレイ２３とを備える。
【００１３】
制御部１２は、複合機１１全体の制御を行う。なお、制御部１２は、一時的にデータを記憶する主記憶メモリ１９を含む。操作部１３は、複合機１１側から発信される情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワークを介して送信された画像データを基に、給紙カセット１６等から搬送されてきた用紙に画像を形成する。画像形成部１５により画像が形成された用紙は、排出トレイ２３に排出される。ハードディスク１７は、送信された画像データや入力された画像形成条件等、画像形成に関するデータを記憶する。
【００１４】
次に、制御部１２の構成について説明する。図３は、制御部１２の構成を示すブロック図である。図３を参照して、制御部１２は、日時カウント部３１と、登録受け付け部３２と、判断部３３と、導出部３４と、文書ＩＤ生成部３５と、印刷制御部３６と、記憶制御部３７とを備える。日時カウント部３１は、日時をカウントする。具体的には、図示しないタイマー等を用いて、経過する日時をカウントする。登録受け付け部３２は、印刷を実行する印刷日時と共に、印刷する画像データのハードディスク１７への登録、すなわち、ハードディスク１７への画像データの保存を受け付ける。判断部３３は、日時カウント部３１によりカウントされた日時が、登録受け付け部３２により受け付けられた印刷日時に達したか否かを判断する。導出部３４は、日時カウント部３１によりカウントされた日時が登録受け付け部３２により受け付けられた印刷日時に達したと判断部３３により判断されれば、登録受け付け部３２により受け付けられた画像データを印刷する際の印刷枚数を導出する。文書ＩＤ生成部３５は、導出部３４により導出された印刷枚数に印刷日時、および各ページに該当する印刷番号を印刷物から把握できるよう付加した文書ＩＤを生成する。印刷制御部３６は、文書ＩＤ生成部３５により生成された文書ＩＤを登録受け付け部３２により受け付けられた画像データに付加して、画像形成部１５により用紙に印刷するよう制御する。記憶制御部３７は、印刷制御部３６の作動後、文書ＩＤ生成部３５により生成された文書ＩＤを画像データと共にハードディスク１７に記憶するよう制御する。これらの構成については、後に詳述する。
【００１５】
次に、複合機１１を用いて所定の日時に印刷するよう登録された印刷物を印刷する場合について説明する。図４は、複合機１１を用いて所定の日時に印刷するよう登録された印刷物を印刷する場合の処理の流れを示すフローチャートである。ここでは、ユーザーとしての学校の先生が、生徒に配布する配布物を印刷物として出力する場合について説明する。なお、複合機１１については、学校に設置されているものとする。
【００１６】
図４を参照して、まず、ユーザーとしての先生は、配布物の原稿を携えて、複合機１１が設置されている箇所に赴き、原稿をＡＤＦ２２にセットする。そして、配布物リストへ登録を行おうとする。そうすると、登録受け付け部３２は、配布物リストへの登録を受け付ける（図４において、ステップＳ１１、以下、「ステップ」を省略する）。
【００１７】
図５は、配布物リストへの登録を受け付ける際の表示画面２１の一例を示す図である。図５を参照して、表示画面２１には、「印刷日時を登録してください。」とのメッセージ４１ａと、印刷する年を入力する印刷年入力領域４２ａと、印刷する月を入力する印刷月入力領域４２ｂと、印刷する日を入力する印刷日入力領域４２ｃと、印刷する時間を入力する印刷時入力領域４２ｄと、「画像データの登録方法を指定してください。」とのメッセージ４１ｂと、「ＡＤＦを用いた読み取り」と示されており、押下により原稿がセットされたＡＤＦ２２による原稿の搬送および画像読み取り部１４による画像読み取りによる画像データの登録を行う選択キー４３ａと、「画像データファイルの保存」と示されており、押下によりハードディスク１７への画像データファイルの保存を促す表示画面２１へ移行する選択キー４３ｂと、その他の方法で入力させる登録方法入力領域４３ｃとが表示されている。
【００１８】
ユーザーは、このような表示画面２１からタッチパネル機能等を利用して、配布物リストへの登録を行う。すなわち、入力領域４２ａ〜４２ｄへの入力を操作部１３に設けられた図示しないテンキー等を用いて行う。ここで、印刷時入力領域４２ｄに入力される時間については、印刷当日の出勤時間前に印刷を完了させることを考慮して、朝の５時や６時といった時間を入力する。そして、配布物Ｘに関する原稿をＡＤＦ２２にセットした後、選択キー４３ａを押下して、操作部１３に設けられた図示しないスタートキーを押下する。そうすると、ＡＤＦ２２にセットされた原稿が順次搬送され、画像読み取り部１４によって読み取られる。読み取られた原稿の画像は、その時点では印刷して出力されず、ハードディスク１７の配布先リストに登録される。このようにして、登録受け付け部３２は登録を受け付ける。
【００１９】
図６は、登録を受け付けた後のハードディスク１７に記憶されたデータを示す概念図である。図６を参照して、ハードディスク１７に割り当てられた配布物リストの記憶領域４６には、２０１６年３月１６日に印刷するよう配布物Ｘ画像データ４７ａが登録されている。なお、翌日である２０１６年３月１７日に印刷するよう配布物Ｙ画像データ４７ｂ、および配布物Ｚ画像データ４７ｃについても、登録の受け付けが完了しており、記憶領域４６に登録されている。
【００２０】
そして、登録された印刷日時に達するまで、日時カウント部３１により日時がカウントされる（Ｓ１２において、ＮＯ）。その後、日時カウント部３１によりカウントされた日時が登録された日時に達したと判断されれば（Ｓ１２において、ＹＥＳ）、登録された配布物リストの画像データがあるか否かが判断される（Ｓ１３）。
【００２１】
この場合、配布物Ｘ画像データ４７ａがあるので、印刷すべき対象となる画像データがあると判断される。すなわち、判断部３３は、配布物Ｘ画像データ４７ａについて、日時カウント部３１によりカウントされた日時が、登録受け付け部３２により受け付けられた印刷日時に達したと判断する（Ｓ１３において、ＹＥＳ）。
【００２２】
そうすると、導出部３４は、登録受け付け部３２により受け付けられた画像データを印刷する際の印刷枚数を導出する（Ｓ１４）。この場合、配布物Ｘ画像データ４７ａの印刷枚数として、３枚というデータを導出する。
【００２３】
その後、文書ＩＤ生成部３５は、文書ＩＤを生成する（Ｓ１５）。ここで、文書ＩＤについては、導出部３４により導出された印刷枚数に印刷日時、および各ページに該当する印刷番号を印刷物から把握できるよう付加して生成する。具体的には、上記した配布物Ｘ画像データ４７ａの一枚目の印刷物については、２０１６年３月１６日という印刷日時を示す「２０１６０３１６」という数字、印刷番号として一番目を示す「０１」という数字、さらに印刷枚数として総計３枚を示す「０３」という数字を、それぞれの間をハイフォンで結んで付加した「２０１６０３１６−０１−０３」という文書ＩＤが生成される。なお、二枚目については、「２０１６０３１６−０２−０３」という文書ＩＤ、三枚目については、「２０１６０３１６−０３−０３」という文書ＩＤが生成される。文書ＩＤにおいて、印刷番号については、連なった番号、すなわち、連番となっている。
【００２４】
そして、印刷制御部３６は、文書ＩＤ生成部３５により生成された文書ＩＤを登録受け付け部３２により受け付けられた画像データに付加して、画像形成部１５により用紙に印刷するよう制御する（Ｓ１６）。具体的には、配布物Ｘ画像データ４７ａに基づいて、この場合、例えば、朝の５時に三枚の印刷物が印刷される。生徒が複数人いる場合には、人数分の印刷が行われる。
【００２５】
図７は、印刷された印刷物を示す図である。図７を参照して、配布物Ｘ画像データ４７ａを基に、三枚の印刷物５１ａ、５１ｂ、５１ｃが印刷される。印刷物５１ａには、一枚目の画像５２が中央の印刷領域に印刷されている。そして、画像が形成される領域外、この場合、印刷物５１ａの下側の余白の領域５３ａに、生成された文書ＩＤ５４ａが印刷される。この文書ＩＤ５４ａは、「２０１６０３１６−０１−０３」というものである。二枚目の印刷物５１ｂには、同じく下側の余白の領域５３ｂに「２０１６０３１６−０２−０３」との文書ＩＤ５４ｂ、三枚目の印刷物５１ｃには、同じく下側の余白の領域５３ｃに「２０１６０３１６−０３−０３」との文書ＩＤ５４ｃが印刷されている。印刷制御部３６は、画像形成部１５によりこのような印刷物５１ａ〜５１ｃを印刷するよう制御する。
【００２６】
また、印刷制御部３６の作動後、記憶制御部３７は、文書ＩＤ生成部３５により生成された文書ＩＤ５４ａ〜５４ｃを画像データと共にハードディスク１７に記憶するよう制御する（Ｓ１７）。
【００２７】
図８は、文書ＩＤがデータとして記憶されたハードディスク１７のデータを示す概念図である。図８を参照して、ハードディスク１７に割り当てられた配布物リストの記憶領域４６には、配布物Ｘ画像データ４７ａに紐付けて「２０１６０３１６−０１−０３」、「２０１６０３１６−０２−０３」、および「２０１６０３１６−０３−０３」との文書ＩＤ５４ａ〜５４ｃに対応する文書ＩＤデータ４８ａ、４８ｂ、４８ｃが記憶されている。
【００２８】
ユーザーである先生は、２０１６年３月１６日の朝５時以降、例えば、朝の７時に出勤して、排出トレイ２３に印刷物５１ａ〜５１ｃが出力されていることを確認する。そして、当日、この印刷物５１ａ〜５１ｃを配布物として生徒に配布する。
【００２９】
このような構成の複合機１１によると、印刷物５１ａ〜５１ｃの一枚一枚に文書ＩＤ５４ａ〜５４ｃが付加されているため、この文書ＩＤ５４ａ〜５４ｃから、どのような印刷物５１ａ〜５１ｃが出力されているかを把握することができる。そうすると、印刷枚数が足りなかった場合に、どのような文書ＩＤ５４ａ〜５４ｃの印刷物５１ａ〜５１ｃが足りないかを容易に推測することができる。また、登録された日時になれば印刷制御部３６が作動するため、印刷すべき日時に印刷し忘れるといった状況を回避することができる。したがって、このような複合機１１は、印刷し忘れることを防止すると共に、印刷物５１ａ〜５１ｃの確認作業を効率よく行うことができる。
【００３０】
具体的には、以下のような場面が考えられる。先生が２０１６年３月１６日に配布物を印刷しようとして予め配布物Ｘデータを上記の手法で登録しておく。そうすると、複合機１１は２０１６年３月１６日の朝５時に上記したように配布物Ｘデータを基に印刷を行い、印刷物５１ａ〜５１ｃを出力する。したがって、先生は、印刷物５１ａ〜５１ｃの印刷し忘れを回避することができる。
【００３１】
また、先生が生徒に対して、印刷物５１ａ〜５１ｃを配布する。ここで、生徒が二枚目の印刷物に相当する印刷物５１ｂを帰宅途中に紛失したとする。そうすると、生徒は帰宅した際に、保護者に印刷物５１ａ、５１ｃを手渡す。保護者は文書ＩＤ５４ａ、５４ｃが印刷された印刷物５１ａ、５１ｃを確認して、連番であるはずの文書ＩＤ５４ｂに対応する印刷物５１ｂがないことに気付く。このようにして、先生と保護者とが電話連絡等を行い、印刷物５１ｂが紛失していることを容易に確認することができる。紛失された印刷物５１ｂについては、生徒が学校に取りに戻ってもよいし、翌日等に再出力して補充することにしてもよい。
【００３２】
ここで、先生側においては、複合機１１が学校に設置されているため、上記した電話連絡等があった場合には、複合機１１に備えられるハードディスク１７に記憶されている文書ＩＤ５４ａ〜５４ｃを確認してもよい。すなわち、記憶制御部３７においてハードディスク１７に記憶された文書ＩＤ５４ａ〜５４ｃのデータについて、操作部１３の表示画面２１等により確認を行うこともできる。こうすることにより、より確実に印刷物５１ａ〜５１ｃの確認を行うことができる。
【００３３】
なお、印刷制御部３６は、登録受け付け部３２により受け付けられた画像データで印刷日が同じものが複数あれば、一つの印刷ジョブとしてまとめて画像形成部１５により印刷するよう制御することにしてもよい。こうすることにより、効率よく印刷を行うことができる。
【００３４】
また、上記の実施の形態においては、登録受け付け部３２は、ＡＤＦ２２を用いた画像読み取りで配布物Ｘに関する原稿の画像を読み取らせることとしたが、これに限らず、画像データのファイルのハードディスク１７への登録、および原稿の画像データの読み取りによるハードディスク１７への登録のうちの少なくともいずれか一方で画像データの登録を受け付けることとしてもよい。こうすることにより、画像データの登録を適切に行うことができる。
【００３５】
なお、上記の実施の形態において、印刷制御部３６が実行されれば、その旨を報知する報知部を備える構成としてもよい。こうすることにより、例えば、登録を行った先生が登録した旨を忘れていたとしても、印刷制御部３６が実行された当日に、容易に思い出させることができる。この場合、複合機１１により音声で報知することにしてもよいし、表示画面２１にその旨を表示するようにしてもよい。
【００３６】
ここで、報知部は、登録受け付け部３２により登録を行ったユーザーである先生の所有するコンピューターへ電子メールを送信することにより報知することにしてもよい。こうすることにより、より確実に印刷された旨を登録者である先生に報知することができる。電子メールの送信先となるコンピューターについては、タブレットＰＣや先生自身が所有する携帯端末装置を含むものとする。そして、登録受け付け部３２による登録時において、コンピューターの電子メールアドレスを併せて登録するようにしてもよい。
【００３７】
また、上記の実施の形態において、印刷制御部３６は、画像データにおける画像が形成される下側の領域外に、文書ＩＤ５４ａ〜５４ｃを付加して印刷するよう制御することとしたが、これに限らず、他の領域、例えば、上側の領域外に印刷するようにしてもよいし、上下左右の隅の領域に文書ＩＤ５４ａ〜５４ｃを印刷するようにしてもよい。
【００３８】
なお、文書ＩＤの生成については、上記したように印刷日時、印刷番号、総印刷枚数の順でなくともよく、順序を変更してもよいし、表現方法を異なるものにしてもよい。例えば、先生と保護者との間で理解できる表現方法を採用することにしてもよい。
【００３９】
なお、配布物の読み取りはＡＤＦ２２を用いた読み取りではなく、原稿台を用いた原稿一枚一枚の読み取りにより配布物Ｘ画像データ、配布物Ｙ画像データ、配布物Ｚ画像データ、として登録してもよい。
【００４０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係る印刷装置は、印刷し忘れの防止と共に、印刷物の確認作業の効率化が要求される場合に、特に有効に利用される。
【符号の説明】
【００４２】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  排出トレイ、３１  日時カウント部、３２  登録受け付け部、３３  判断部、３４  導出部、３５  文書ＩＤ生成部、３６  印刷制御部、３７  記憶制御部、４１ａ，４１ｂ  メッセージ、４２ａ，４２ｂ，４２ｃ，４２ｄ，４３ｃ  入力領域、４３ａ，４３ｂ  選択キー、４６  記憶領域、４７ａ，４７ｂ，４７ｃ  画像データ、４８ａ，４８ｂ，４８ｃ  文書ＩＤデータ、５１ａ，５１ｂ，５１ｃ  印刷物、５２  画像、５３ａ，５３ｂ，５３ｃ  領域、５４ａ，５４ｂ，５４ｃ  文書ＩＤ。
【図１】
2018140550.tif 000003
【図２】
2018140550.tif 000004
【図３】
2018140550.tif 000005
【図４】
2018140550.tif 000006
【図５】
2018140550.tif 000007
【図６】
2018140550.tif 000008
【図７】
2018140550.tif 000009
【図８】
2018140550.tif 000010